(57)【特許請求の範囲】
【請求項１】
塵埃を集塵する集塵部と、
前記集塵部に吸込負圧を作用させる電動送風機と、
前記集塵部および前記電動送風機を設けた連通風路と、
前記連通風路内に設けられ且つ光触媒処理された消臭部材と、
紫外線を発光する光源と、
前記消臭部材を囲み保持する保持枠であるとともに前記光源からの紫外線を受けて前記保持枠の全体から紫外線を放光して前記消臭部材に紫外線を照射する紫外線放光体と、を備えたことを特徴とする電気掃除機。
【請求項２】
前記光源が前記紫外線放光体に近接して配置され、前記光源からの紫外線が前記消臭部材に導かれるようになっていることを特徴とする請求項１に記載の電気掃除機。
【請求項３】
前記保持枠の外周面にシボ加工が施されていることを特徴とする請求項１または２に記載の電気掃除機。
【請求項４】
塵埃を集塵する集塵部と、
前記集塵部に吸込負圧を作用させる電動送風機と、
前記集塵部および前記電動送風機を設けた連通風路と、
前記連通風路内に設けられ且つ光触媒処理された消臭部材と、
紫外線を発光する光源と、
前記光源からの紫外線を受けて放光して前記消臭部材に紫外線を照射する紫外線放光体を備える電気掃除機であって、
前記紫外線放光体は前記消臭部材を囲み紫外線を照射可能な形状に形成され、
前記連通風路の前記消臭部材に臨む部分に透明窓が形成され、
前記紫外線放光体は前記透明窓の周縁部に沿って配設され、前記紫外線放光体の一端部に紫外線を発光する前記光源が第１の光源として臨ませられ、前記紫外線放光体の他端部に第２の光源が臨ませられていることを特徴とする電気掃除機。
【請求項５】
前記第２の光源は可視光を発光可能な光源であることを特徴とする請求項４に記載の電気掃除機。
【請求項６】
前記消臭部材は、前記集塵部が配置された集塵室内に配設されていることを特徴とする請求項１から５のいずれか１項に記載の電気掃除機。
【請求項７】
前記消臭部材はハニカム構造を有する光触媒フィルターであり、前記ハニカム構造の孔が前記連通風路の延在方向と直交する方向に延びることを特徴とする請求項１から６のいずれか１項に記載の電気掃除機。
【発明の詳細な説明】
【技術分野】
【０００１】  この発明は、光触媒を利用して掃除機本体内の脱臭等を行う電気掃除機に関する。
【背景技術】
【０００２】  従来の電気掃除機には、集塵室の内壁面や集塵袋に光触媒処理を施すと共に、光触媒処理を施した部分に紫外線ランプから紫外線を照射して、菌などの微生物を殺傷したりするようにしたものが知られている（例えば、特許文献１参照）。
【特許文献１】特開２００１−３７０号公報
【発明の開示】
【発明が解決しようとする課題】
【０００３】  しかしながら、このような電気掃除機にあっては、菌などの微生物を殺傷したりすることは期待できるものの、満足できる消臭効果を期待できないものであった。【０００４】  そこで、この発明は、充分な消臭効果を期待できる電気掃除機を提供することを目的とするものである。
【課題を解決するための手段】
【０００５】
この目的を達成するため、この発明は、塵埃を集塵する集塵部と、前記集塵部に吸込負圧を作用させる電動送風機と、前記集塵部および前記電動送風機を設けた連通風路と、前記連通風路内に設けられ且つ光触媒処理された消臭部材と、紫外線を発光する光源と、前記消臭部材を囲み保持する保持枠であるとともに前記光源からの紫外線を受けて前記保持枠の全体から紫外線を放光して前記消臭部材に紫外線を照射する紫外線放光体と、を備えたことを特徴とする。
また、この発明は、塵埃を集塵する集塵部と、前記集塵部に吸込負圧を作用させる電動送風機と、前記集塵部および前記電動送風機を設けた連通風路と、前記連通風路内に設けられ且つ光触媒処理された消臭部材と、紫外線を発光する光源と、前記光源からの紫外線を受けて放光して前記消臭部材に紫外線を照射する紫外線放光体を備える電気掃除機であって、前記紫外線放光体は前記消臭部材を囲み紫外線を照射可能な形状に形成され、前記連通風路の前記消臭部材に臨む部分に透明窓が形成され、前記紫外線放光体は前記透明窓の周縁部に沿って配設され、前記紫外線放光体の一端部に紫外線を発光する前記光源が第１の光源として臨ませられ、前記紫外線放光体の他端部に第２の光源が臨ませられていることを特徴とする。
【０００６】  この構成によれば、紫外線放光体から光を放出させると、紫外線放光体から出射した紫外線が消臭部材にその囲む方向から照射されるので、紫外線を消臭部材の全体に充分に照射でき、光触媒の活性化により連通風路内の充分な消臭効果を期待できる。【０００７】  なお、紫外線放光体の「放光」とは、光源からの紫外線を受けて紫外線放光体自身の発光現象によって発生した光が紫外線放光体から外部に放出される場合、および光源から紫外線放光体に導入された紫外線が紫外線放光体から外部に放出される現象を含む。紫外線放光体自身の発光現象によって紫外線を発生する場合には、紫外線放光体自身を紫外線を受けて紫外線を発光する材料で形成することもできるし、あるいは光透過性材料に紫外線を受けて紫外線を発光する材料を混入して紫外線放光体を形成することができるし、あるいは紫外線放光体の外表面に紫外線発光層を塗布することによって紫外線発光体を形成することもできる。また、光源から紫外線放光体に導入された紫外線が紫外線放光体から外部に放出する場合には、紫外線放光体を光透過性材料から形成することができる。この場合に、照射効率を高めるため外周面にシボ加工を施すこともできる。【０００８】  また、「囲む」とは、完全に囲む場合、および不完全であっても紫外線を消臭部材の全体に充分に照射でき、光触媒の活性化により連通風路内の充分な消臭効果の得られる場合も含むものとする。【０００９】  本発明は、優先権主張している日本出願：特願２００４−１５９２４０（２００４年５月２８日出願）及び特願２００４−２２１１４２（２００４年７月２９日出願）に基づくもので、同出願内容は参照して本出願明細書に取り込む。
【図面の簡単な説明】
【００１０】［図１］この発明に係る電気掃除機の外観を示した斜視図である。
［図２］（ａ）この発明に係る電気掃除機の掃除機本体の一部を破断した斜視図、（ｂ）は光触媒フィルタの一部を拡大した斜視図である。
［図３］（ａ）は図１に示す掃除機本体の一部を破断して示した側面図、（ｂ）は（ａ）の要部拡大説明図である。
［図４］図３に示す掃除機本体の蓋体を示した縦断面図である。
［図５］図４におけるＡ部の拡大図である。
［図６］図４におけるＢ部の拡大図である。
［図７］図１の電気掃除機の制御回路図である。
［図８］この発明に係る電気掃除機の光触媒体の変形例を示す説明図である。
［図９］この発明の他の変形例を示す要部断面図である。
［図１０］図９の要部平面図である。
［図１１］図９，図１０に示した紫外線放光体の平面図である。
［図１２］この発明の更に他の変形例を示す斜視図である。
［図１３］この発明の他の変形例を示す平面図である。
【発明を実施するための最良の形態】
【００１１】  以下、この発明に係る電気掃除機の一実施例を図面に基づいて説明する。【００１２】  図１に示す電気掃除機１０は、掃除機本体１１と、この掃除機本体１１の前部のホース接続口２１ａ（図２参照）に一端が着脱可能に接続された集塵ホース１２等とを備え、この集塵ホース１２の他端の手元操作パイプ１３には延長管１４が着脱自在に接続され、この延長管１４の先端には吸込口体１５が着脱自在に接続されている。【００１３】  また、図１において、１３ａは手元操作パイプ１３に設けられた操作パネルである。この操作パネル１３ａには、放光体点灯用のスイッチ１３ｂと、「弱／中」吸込風量切り替え用のスイッチＳ１と、「強」吸込風量用のスイッチＳ２と、「切り」用のスイッチＳ３等が設けられている。【００１４】  掃除機本体１１は、図２および図３（ａ）に示すように、本体ケース２０と、この本体ケース２０の上部にヒンジ結合されて上下方向に開閉自在にされた蓋体３０とを有している。【００１５】  本体ケース２０の前部には、上方が開口すると共に、集塵ホース１２に連通する接続口２１ａを有した内部空間である集塵室（集塵部）２１が形成されている。また、本体ケース２０の後部には、集塵室２１に連通すると共に、この集塵室２１に吸込負圧を作用させる電動送風機２２が内蔵された内部空間である電動機室（図示せず）が形成されている。【００１６】  尚、この集塵室２１と電動送風機２２は、掃除機本体１１の接続口２１ａと図示しない掃除機本体１１の排気孔（図示せず）とを連通する連通風路に設けられている。【００１７】  さらに、本体ケース２０の側面には一対の車輪２３（他方、図示せず）が設けられ、底面には旋回輪ＳＲが設けられている。【００１８】  なお、集塵室２１内には紙パックフィルタ等の集塵袋Ｆが装着されていて、この集塵袋Ｆには集塵ホース１２から吸い込まれる塵埃が捕捉されるようになっている。この構造は周知であるのでその詳細な説明は省略する。しかも、この集塵袋Ｆには光触媒処理がされている。【００１９】  蓋体３０は、集塵室２１の開口を覆うように設けられ、集塵室２１の上側に設けられている。また、この蓋体３０には、前方に突出する取っ手３０ａが設けられている。【００２０】  また、蓋体３０には、掃除機本体１１に形成された内部空間である集塵室２１に臨む部分に窓３１が形成されている（図４参照）。この窓３１は蓋体３０に形成された開口である。【００２１】  蓋体３０には、図４に示すように外側に透明な窓カバー３３が着脱自在に設けられており、この窓カバー３３が蓋体３０の窓３１を覆っていて、窓３１に直接窓カバーを設けた場合と実質的に同一となっている。【００２２】  窓カバー３３の前側には、上方に持ち上げて外す際に指を掛ける指掛け部３３ａが形成されている。なお、この窓カバー３３は、窓３１の外方側の周縁部に設けられた環状の保持凹部３２ｄに嵌着されている。【００２３】  さらに、窓３１の集塵室２１側の周縁部には、前側に保持突起３２ａが設けられ、後側に保持リブ３２ｂが設けられている。【００２４】  保持突起３２ａは窓３１から下方に所定距離離れた位置に設けられ、掃除機本体１１の左右方向（前後方向と直交する方向である幅方向）に��在されている。そして、この保持突起３２ａの先端は、図５に示すようにＲ形状に形成されている。【００２５】  一方、保持リブ３２ｂは、掃除機本体１１の左右方向（幅方向）に所定間隔をおいて複数設けられており、図６に示すようにその幅（前後方向の長さ）が上にいくにしたがって長くなっている。また、保持リブ３２ｂの前端の上部、すなわち窓３１の近傍に保持凹部３２ｃが形成されている。【００２６】  そして、保持突起３２ａ及び保持リブ３２ｂに着脱自在に光触媒体（消臭構造体）４０が保持されて窓３１に対向するとともに集塵室（連通風路）２１に配置されている。【００２７】  光触媒体４０は、図２（ａ）に示すように、光触媒フィルタ（消臭部材）４１と、この光触媒フィルタ４１を保持するフレーム体４２を備えている。【００２８】  光触媒フィルタ４１は、光触媒物質を含む光触媒シート（光触媒部材）４１ａと、竹炭物質を含む竹炭シート４１ｂとが、ほぼ交互に重ねられて形成されている。ここで、光触媒シート４１ａが波形状に屈曲されており、この光触媒フィルタ４１はハニカム構造となっている（図２（ｂ）参照）。【００２９】  フレーム体４２は、光触媒フィルタ４１の周囲を取り囲む透明樹脂製の環状の保持枠（紫外線放光体）４２ａと、保持枠４２ａの下部に架け渡された複数の載置フレーム４２ｂとを有している。光触媒フィルタ４１は、ハニカム構造の孔が上下方向に延びるように保持枠４２ａ内に配置されて載置フレーム４２ｂ上に載置されている。【００３０】  しかも、保持枠４２ａは、透明なアクリル部材から環状に形成されていると共に、外周面にシボ加工等が施されている。これにより、紫外線が保持枠４２ａの一部から内部に照射されたときに、保持枠４２ａ全体から紫外線が放出され紫外線を放射するようになっている。【００３１】  また、保持枠４２ａの外周面の上部には、図５および図６に示すように、外方に突出した係止突部４３が全周に亘って設けられている。前側の保持枠４２ａの係止突部４３が蓋体３０の保持突起３２ａに着脱自在に係合し、後側の保持枠４２ａの係止突部４３が保持リブ３２ｂの凹部３２ｃに着脱自在に係合することにより、光触媒体４０が蓋体３０に着脱自在に取り付けられている。【００３２】  さらに、この保持枠４２ａの上端面には緩衝部材４４が設けられており、この緩衝部材４４により光触媒体４０を蓋体３０に取り付けた際に、窓３１の周縁部にフレーム体４２が直接当接することを防止する。【００３３】  図４に示したように、保持枠４２ａの係止突起４３に近接させて接するように望ませた紫外線を発光する光源（紫外線発光源）５０が蓋体３０に取り付けられ、この光源５０に接続されたリード線５１，５２に端子５１ａ，５２ａが接続されている。この光源５０としては紫外線ランプ等が用いられる。【００３４】  しかも、端子５１ａ，５２ａは樹脂製の端子台５３に取り付けられ、この端子台５３は図４に示したように蓋体３０の先端部に取り付けたブラケット５４に保持されている。【００３５】  また、本体ケース２０の前端上部には、図３（ｂ）に示したように上面に露出する端子５１ｂ，５２ｂが取り付けられている。しかも、図３（ａ）のように蓋体３０を閉じたときに、蓋体３���の端子５１ａ，５２ａは図３（ｂ）の如く本体ケース２０の端子５１ｂ，５２ｂに接触するようになっている。【００３６】  この端子５１ｂ，５２ｂは図７に示したように電源を有する制御回路５５に接続されている。また、この制御回路５５には、操作パネル１３ａのスイッチ１３ｂ，Ｓ１，Ｓ２，Ｓ３が接続されていると共に、電動送風機２２及び光源５０が接続されている。
［作用］
次に、この様な構成の電気掃除機の作用を説明する。【００３７】  手元操作パイプ１３に設けられたスイッチＳ１又はＳ２を入れると、制御回路５５は電動送風機２２を駆動させる。電動送風機２２が駆動すると吸込負圧が発生し、集塵室２１、集塵ホース１２、手元操作パイプ１３、延長管１４を介して吸込口体１５の吸込室（図示せず）に吸込負圧が作用する。この吸込負圧によって吸込口体１５の底面に設けた吸込室の吸込開口から被清掃面上の塵埃及び空気が吸い込まれ、延長管１４、手元操作パイプ１３、集塵ホース１２を介して掃除機本体１１の集塵室２１へ吸い込まれていく。【００３８】  集塵室２１へ吸い込まれた塵埃は集塵室２１内に配設された集塵袋Ｆに捕集され、空気は電動機室内の電動送風機２２に吸い込まれた後に掃除機本体１１の図示しない排気孔から排気される。【００３９】  一方、集塵室２１には塵埃や空気と共に細菌等が流れ込み、集塵袋Ｆ等からアンモニア、アセトアルデヒド等の臭気成分を発散する。この臭気成分は、集塵室２１の上側に位置する蓋体３０に設けられた光触媒体４０の光触媒フィルタ（消臭部材）４１によって分解され、脱臭される。また、細菌自体も光触媒フィルタ（消臭部材）４１によって殺菌、分解される。【００４０】  なお、この光触媒フィルタ（消臭部材）４１によって臭気成分等が分解される仕組みは以下のとおりである。【００４１】  光触媒フィルタ（消臭部材）４１の光触媒シート４１ａが有する光触媒物質は、例えば二酸化チタン（ＴＩＯ２）である。【００４２】  この二酸化チタンは、光（紫外線）が当たると、その表面から電子が飛び出して、正孔（ホール）と呼ばれるプラスの電荷を帯びた孔が形成される。この正孔は強い酸化力を持っており、周囲の有機物から電子を奪って電気的に安定になろうとする。【００４３】  この様に二酸化チタンの酸化還元作用によって電子を奪われた有機物は分解され、最終的には二酸化炭素や水等になり大気中に発散することとなる。また、竹炭シート４１ｂは吸着力を有しており、臭気成分を吸着することができる。【００４４】  ここで、この光触媒フィルタ（消臭部材）４１は、蓋体３０に形成された窓３１にほぼ沿って設けられているので、窓３１から入射する光（紫外線）に十分に当たることができ、高い脱臭効果を得ることができる。【００４５】  さらに、光触媒フィルタ４１がそのハニカム構造の孔が上下方向に延びるようにフレーム体４２に設けられているので、光触媒シート４１ａ及び竹炭シート４１ｂの間を臭気成分が通過し、脱臭作用を励起することができる。【００４６】  また、集塵室２１内に流れ込んだ空気は、蓋体３０の窓３１に沿って設けた光触媒フィルタ（消臭部材）４１を通過することがほとんどなく、集塵室２１内に吸い込まれた塵埃が光触媒フィルタ（消臭部材）４１に付着してしまうことがほとんどない。【００４７】  そして、この光触媒フィルタ（消臭部材）４１は蓋体３０に着脱自在に設けられているので、例え光触媒フィルタ（消臭部材）４１に塵埃が付着した場合であっても、容易に光触媒フィルタ（消臭部材）４１が設けられた光触媒体４０を外して洗浄または交換することができる。【００４８】  尚、光触媒フィルタ（消臭部材）４１はハニカム状になっているので、窓３１から取り入れられる外光がハニカム状の隙間から集塵袋Ｆに到達して、外光の紫外線が光触媒処理された集塵袋Ｆに作用し、集塵袋Ｆの光触媒処理された部分により臭気成分が分解される。【００４９】  一方、放光体点灯用のスイッチ１３ｂをＯＮさせると、制御回路５５は光源５０を点灯させる。この光源５０から発光される紫外線は、保持枠４２ａ内に入射し、保持枠４２ａ全体から紫外線を放出させて保持枠４２ａ全体から紫外線を放射させる。【００５０】  この紫外線は、一部が光触媒フィルタ（消臭部材）４１に照射されて、光触媒フィルタ（消臭部材）４１により臭気成分が分解される。【００５１】  しかも、他の紫外線の一部は、光触媒処理がされた集塵袋Ｆに照射されて、集塵袋Ｆ内の臭気成分が分解される。【００５２】  更に、紫外線の一部が窓３１を透過して外部上方に放射されるので、外部からは窓３１がぼんやり紫色に光っているように見える。これにより、集塵室２１内の消臭処理が行われていることが使用者に分かるようになっている。特に、夜間等での使用時に消臭処理が行われていることが分かる。【００５３】  また、光触媒体４０を常に清潔にしておくことができるので、光触媒体４０に付着した塵埃によって分解作用が阻害されることがなくなり、十分な脱臭効果を長期間に亘って保持することができる。【００５４】  さらに、光触媒体４０が容易に洗浄または交換することができるので、光触媒フィルタ４１を集塵室２１内に露出させていても、脱臭効果の低下を防止することができる。そして、この光触媒フィルタ４１が露出していることで、高い脱臭効果を得ることができる。【００５５】  また、昼間は、外光を窓３１から取り入れて、外光に含まれる紫外線を光触媒フィルタ（消臭部材）４１及び集塵袋Ｆ等に照射させて、臭気成分を分解させる。一方、窓３１から取り入れられる外光が少ない夜間は、光源５０を発光させて紫外線を出射させることにより、紫外線を保持枠４２ａ内に導いて、保持枠４２ａ全体から紫外線を放射させ、光触媒フィルタ（消臭部材）４１及び集塵袋Ｆ等により臭気成分を分解させるようにする。このように昼間と夜間とで外光に含まれる紫外線と保持枠４２ａの放光による紫外線を使い分けることにより、エネルギーの無駄な消費をすることなく、集塵室２１内の臭気を効果的に分解することができる。【００５６】（変形例１）
上述した実施例では、保持枠４２ａの外周面にシボ加工を施して、保持枠４２ａ全体から紫外線が放出されるようにしたが、必ずしもこれに限定されるものではない。【００５７】  図８に示したように、保持枠４２ａの下端にレンズ部５６を設けて、このレンズ部５６から紫外線を下方にも照射するようにしても良い。この場合には、紫外線は保持枠下端のレンズ部５６を介して集塵袋Ｆに照射され臭気袋内の臭気成分を分解させることができる。【００５８】（変形例２）
以上説明した実施例では、保持枠４２ａを紫外線放光体とした例を示したが、必ずしもこれに限定されるものではない。【００５９】  例えば、図９，図１０に示したように構成しても良い。この図９において窓３１は図１０に示したように楕円状に形成され、この窓カバー３３の窓３１に臨む部分には上方に湾曲膨出する断面円弧状のカバー突部３３ａが形成されている。尚、カバー突部３３ａの前部は図９、図１０に示したように下方に落ち込んで凹部３３ｂとなっている。【００６０】  蓋体３０には、図９に示したように窓３１に沿って環状に延びる保持凹部３２ｄが設けられている。この保持凹部３２ｄは、窓３１に沿って上方に突出させた内外二重の環状フランジ３２ｄ１，３２ｄ２間に形成されている。内側の環状フランジ３２ｄ１は、環状起立部ｄ１ａと、この環状起立部ｄ１ａに対して内方に突出する環状内方突出部ｄ１ｂを有する。【００６１】  また、蓋体３０の窓３１に沿う縁部３０ｂは環状起立部ｄ１ａからの突出量が非常に小さく形成され、環状内方突出部ｄ１ｂは環状起立部ｄ１ａからの突出量が大きく設定されている。【００６２】  この環状内方突出部ｄ１ｂと蓋体３０の窓３１に沿う縁部３０ｂとの間には、環状起立部ｄ１ａに弾接させた透明樹脂製の環状の紫外線放光体５７が保持されている。この紫外線放光体５７は、図９〜図１１に示したように、予め環状に成形した環状放光部（放光体）５７ａと、環状放光部５７ａ後部に突設した紫外線入射用の突部５７ｂを有する。【００６３】  この突部５７ｂの後端には紫外線を発光する光源（紫外線光源）５８が配設されている。この光源５８も図７に示した制御回路５５で上述した実施例と同様に制御される。【００６４】  そして、光源５８を発光させて、光源５８からの紫外線を突部５７ｂに入射させることで、この入射した紫外線が環状放光部５７ａに入射して全体から紫外線を放出させる。この環状放光部５７ａから放出される紫外線は、消臭部材である光触媒フィルタ４１に斜め上方の周囲から全体的に照射され、光触媒フィルタ４１により臭気が分解される。【００６５】  また、この際、紫外線はカバー突部３３ａから視認できるので、紫外線放光体５７の動作状態を確認できる。【００６６】（変形例３）
更に、上述したカバー突部３３ａの部分を図１２に示したように紫外線放光体とすることもできる。この場合、カバー部３３ａに脚部３３ｃを設けて、この脚部３３ｃの端面に紫外線を発光する光源３３ｄを望ませるようにしても良い。この場合には、カバー部３３ａ全体から紫外線が光触媒フィルタ４１に周囲から照射されることになる。【００６７】（変形例４）
以上説明した実施例では、紫外線放光体５７は、最初から環状に成形した例を示したが、必ずしも環状に成形したものを用いなくても良い。【００６８】  即ち、環状内方突出部ｄ１ｂと蓋体３０の窓３１に沿う縁部３０ｂとの間に透明樹脂製で直線状の放光体を環状に湾曲させて配設することにより、図１３に示したような紫外線放光体５９としてもよい。この場合には、紫外線放光体５９の各端部５９ａ，５９ｂに第１の光源６０，及び第２の光源６１をそれぞれ臨ませることができる。尚、この紫外線放光体５９は、円筒形状のフッ素樹脂チューブ内にエラストマー材を充填した構造の柔軟性のあるライトガイドが用いられている。【００６９】  この場合、第１の光源６０及び第２の光源６１を紫外線を発光する光源とすれば、紫外線放光体内５９に入射する紫外線を多くすることができる。しかも、この場合には、紫外線放光体５９の中央部における光量低下を防止することができる。【００７０】  また、第１の光源６０を紫外線を発光する光源とし、第２の光源６１を可視光例えば青色の光を発光する光源として、第１，第２の光源６０，６１を同時に発光させれば、紫外線放光体５９は全体から紫外線を放出されると同時に、紫外線放光体５９の全体から青色の可視光が放出される。【００７１】  この青色の可視光は窓３１から確認できるので、青色の可視光が窓３１から見えるときには紫外線放光体５９から紫外線が放出しているのを視覚的に確認できる。【００７２】  尚、第２の光源６１は青色の可視光を発光する光源としたが、必ずしもこれに限定されるものではない。即ち、第２の光源６１は、青色以外の可視光を発光する光源であっても良い。【００７３】  以上説明したように、この発明の実施の形態の電気掃除機は、塵埃を集塵する集塵部（集塵室２１）と、この集塵部（集塵室２１）に吸込負圧を作用させる電動送風機２２と、前記集塵部（集塵室２１）および電動送風機２２を設けた連通風路（実施例では集塵室２１が連通風路の一部）と、前記連通風路（実施例では集塵室２１が連通風路の一部）内に設けられ且つ光触媒処理された消臭部材（光触媒フィルタ４１）と、紫外線を発光する光源と、前記光源からの紫外線を受けて紫外線を放出して前記消臭部材（光触媒フィルタ４１）に紫外線を照射する紫外線放光体（４２ａ，５７、３３ａ、５９）を備えている。しかも、前記紫外線放光体（４２ａ，５７、３３ａ、５９）は前記消臭部材を囲み紫外線を照射可能な形状に形成されている。【００７４】  この構成によれば、紫外線放光体から紫外線を放出させると、紫外線放光体（４２ａ，５７、３３ａ、５９）から出射した紫外線が消臭部材（光触媒フィルタ４１）に囲む方向から照射されるので、紫外線を消臭部材（光触媒フィルタ４１）の全体に充分に照射でき、連通風路（実施例では集塵室２１が連通風路の一部）内の充分な消臭効果を期待できる。【００７５】  尚、上述した実施例では、消臭部材（光触媒フィルタ４１）が配設される連通風路を集塵室２１としているが、この連通風路は電動送風機２２が配設される送風機室、電動送風機下流の排気室等であっても良い。【００７６】  また、この発明の実施の形態の電気掃除機の前記紫外線放光体は、前記消臭部材（光触媒フィルタ４１）を囲むように配設された放光体（保持枠４２ａ，環状の紫外線放光体５７）である。この構成によれば、紫外線放光体から紫外線を放出させると、紫外線放光体（４２ａ，５７、５９）から出射した紫外線が消臭部材（光触媒フィルタ４１）を囲む方向から照射されるので、紫外線を消臭部材（光触媒フィルタ４１）の全体に充分に照射でき、連通風路（実施例では集塵室２１が連通風路の一部）内の充分な消臭効果を期待できる。【００７７】  更に、この発明の実施の形態の電気掃除機の前記紫外線放光体は前記消臭部材を囲むように保持する保持枠４２ａである。この構成によれば、保持枠４２ａ（紫外線放光体）を発光させると、保持枠４２ａ（紫外線放光体）から出射した紫外線が消臭部材（光触媒フィルタ４１）を囲む方向から照射されるので、紫外線を消臭部材（光触媒フィルタ４１）の全体に充分に照射でき、連通風路（実施例では集塵室２１が連通風路の一部）内の充分な消臭効果を期待できる。【００７８】  また、この発明の実施の形態の電気掃除機においては、前記連通風路（実施例では集塵室２１が連通風路の一部）の前記消臭部材（光触媒フィルタ４１）に臨む部分に透明窓（窓３１を覆う透明な窓カバー３３）が形成されている。【００７９】  この構成によれば昼間は、透明窓（窓３１を覆う透明な窓カバー３３）を介して集塵室２１内に入射する外光の紫外線が消臭部材（光触媒フィルタ４１）に作用して、消臭部材（光触媒フィルタ４１）により集塵室２１内の臭気が充分に分解される。【００８０】  また、夜間においては、紫外線放光源である光源（３３ｄ、５０）を発光させることで、光源（３３ｄ、５０）から出射する紫外線が紫外線放光体（４２ａ，５７、３３ａ、５９）内に導かれて、紫外線放光体（４２ａ，５７、３３ａ）全体から紫外線が放射され、この放射される紫外線が消臭部材（光触媒フィルタ４１）に作用して、消臭部材（光触媒フィルタ４１）により集塵室２１内の臭気が充分に分解される。【００８１】  しかも、窓カバー３３内に紫外線放光体（４２ａ，５７）がある場合には、透明窓（窓３１を覆う透明な窓カバー３３）から窓カバー３３内の紫外線放光体（４２ａ，５７、５９）からの紫外線の放出が見えるので、紫外線放光体（４２ａ，５７、５９）及び消臭部材（光触媒フィルタ４１）の動作状態が分かる。或いは窓カバー３３に紫外線放光体（カバー突部３３ａ）がある場合には、窓カバー３３の紫外線放光体（カバー突部３３ａ）から紫外線が放出するので、窓カバー３３の紫外線放光体（カバー突部３３ａ）及び消臭部材（光触媒フィルタ４１）の動作状態が分かる。【００８２】  また、この発明の実施の形態の電気掃除機においては、前記紫外線放光体（５９）は前記透明窓（窓３１を覆う透明な窓カバー３３）の周縁部に沿って配設され、前記紫外線放光体（５９）の一端部に紫外線を発光する前記光源が第１の光源（６０）として臨ませられ、前記紫外線放光体（５９）の他端部に第２の光源（６１）が臨ませられている。【００８３】  この構成によれば、第１の光源（６０）及び第２の光源（６１）が紫外線を発光する光源の場合、紫外線放光体（５９）から放射される紫外線の光量を多くできるので、消臭部材（光触媒フ���ルタ４１）の反応を促進できる。【００８４】  また、第１の光源（６０）が紫外線を発光する光源であると共に、第２の光源（６１）が可視光を発光する光源の場合、透明窓（窓３１を覆う透明な窓カバー３３）から窓カバー３３内の紫外線放光体（５９）の可視光による光が見えるので、紫外線放光体（５９）及び消臭部材（光触媒フィルタ４１）の動作状態が分かる。【００８５】  更に、この発明の実施の形態の電気掃除機においては、前記第２の光源（６１）は可視光を発光可能な光源としている。【００８６】  この構成によれば、透明窓（窓３１を覆う透明な窓カバー３３）から窓カバー３３内の紫外線放光体（５９）の可視光による放光が見えるので、視認性が高く紫外線放光体（５９）及び消臭部材（光触媒フィルタ４１）が動作しているのが分かる。
【図１】
0004489075.tif 000002
【図２】
0004489075.tif 000003
【図３】
0004489075.tif 000004
【図４】
0004489075.tif 000005
【図５】
0004489075.tif 000006
【図６】
0004489075.tif 000007
【図７】
0004489075.tif 000008
【図８】
0004489075.tif 000009
【図９】
0004489075.tif 000010
【図１０】
0004489075.tif 000011
【図１１】
0004489075.tif 000012
【図１２】
0004489075.tif 000013
【図１３】
0004489075.tif 000014